(57)【特許請求の範囲】
【請求項１】
石炭を粉砕して微粉炭を製造する微粉炭機と、
前記微粉炭機において製造された微粉炭を燃焼させる燃焼ボイラと、
前記燃焼ボイラの下流側に配置され該燃焼ボイラにおいて微粉炭が燃焼されて発生した排ガス中に含まれる窒素酸化物を除去する脱硝装置と、を備える石炭火力発電設備であって、
前記脱硝装置は、長手方向に延びる複数の排ガス流通穴が形成されたハニカム構造体、及び前記ハニカム構造体に担持された脱硝触媒を含む複数のハニカム触媒を有する脱硝触媒層と、
前記脱硝触媒層の上流側に配置され、長手方向に延びる複数の排ガス流通穴が形成された複数のハニカム構造体を有する微粒子吸着層と、を備え、
前記微粒子吸着層の排ガス流路方向の長さは、前記脱硝触媒層の排ガス流路方向の長さの半分以下であり、
前記微粒子吸着層は、前記脱硝触媒層に導入される排ガスを整流する整流層として機能する石炭火力発電設備。
【請求項２】
前記脱硝触媒層を構成するハニカム構造体は、多孔質材料からなり、
前記微粒子吸着層を構成するハニカム構造体は、前記多孔質材料と同一の多孔質材料からなる請求項１に記載の石炭火力発電設備。
【請求項３】
前記多孔質材料は、セラミック材料である請求項２に記載の石炭火力発電設備。
【発明の詳細な説明】
【技術分野】
【０００１】
本発明は、石炭火力発電設備に関する。より詳しくは、脱硝装置を構成する脱硝触媒の劣化を抑制できる石炭火力発電設備に関する。
【背景技術】
【０００２】
石炭火力発電所では、石炭の燃焼に伴い窒素酸化物が発生するが、大気汚染防止法等により、窒素酸化物の排出は一定水準以下に抑えることが必要となっている。そこで発電所では、窒素酸化物を還元分解するために脱硝装置を設置している。この脱硝装置には、五酸化バナジウム等の活性成分を含む脱硝触媒が配置されており、ここにアンモニアを共存させることで、高温下の還元反応により脱硝を実現している。
【０００３】
この脱硝触媒は、一般に３００℃〜４００℃の高温雰囲気下で効率的に作動するため、ボイラにおいて石炭を燃焼させた直後の煤塵が非常に多く含まれた排ガスを脱硝させる必要がある。脱硝装置の性能を維持するために、活性が低下した触媒は、新品の触媒に取替えたり、再生したりする必要がある
【０００４】
例えば、下記の特許文献１には、脱硝触媒が複数段充填された排煙脱硝装置の脱硝触媒の交換方法であって、最上流側に位置する第１段目の脱硝触媒を取出す触媒取出し工程と、第２段目以降の全ての脱硝触媒を順次、１段上流側に移動させる触媒移動工程と、触媒移動工程により移動して空となった最下流段に新たな脱硝触媒を補充する触媒補充工程と、を含む脱硝触媒の交換方法が開示されている。
【先行技術文献】
【特許文献】
【０００５】
【特許文献１】特開２０１３−０５２３３５号公報
【発明の概要】
【発明が解決しようとする課題】
【０００６】
しかしながら、そもそも、どのタイミングで脱硝触媒の取替えや再生を行うかについて、従来は知見がない。このため、現地での排ガス測定や実際に触媒サンプルを採取して触媒性能試験等を実施し、脱硝率の低下を測定しているのが現状である。石炭火力発電所の操業における脱硝触媒の機能の低下は長期間に亘って徐々に進行するものであるから、この劣化メカニズムを明らかにすることは、劣化予測や劣化抑制対策を講じる上で極めて重要である。
【０００７】
本発明者らは、脱硝触媒の劣化メカニズムにつき鋭意検討した結果、従来の石炭灰の粒径である数十μｍ以上百μｍ以下程度の範囲に比べて遥かに小さい粒径の堆積物が脱硝触媒の表面を被覆して被覆層を形成し、それによって、脱硝触媒と排ガスの接触が阻害され脱硝触媒の性能が低下していることを見出した。
【０００８】
従って、本発明は、微小な粒径の堆積物が脱硝触媒の表面を被覆することを防ぐことで脱硝触媒の劣化を抑制できる石炭火力発電設備を提供することを目的とする。
【課題を解決するための手段】
【０００９】
本発明は、石炭を粉砕して微粉炭を製造する微粉炭製造装置と、前記微粉炭製造装置において製造された微粉炭を燃焼させる燃焼ボイラと、前記燃焼ボイラの下流側に配置され該燃焼ボイラにおいて微粉炭が燃焼されて発生した排ガス中に含まれる窒素酸化物を除去する脱硝装置と、を備える石炭火力発電設備であって、前記脱硝装置は、長手方向に延びる複数の排ガス流通穴が形成されたハニカム構造体、及び前記ハニカム構造体に担持された脱硝触媒を含む複数のハニカム触媒を有する脱硝触媒層と、前記脱硝触媒層の上流側に配置され、長手方向に延びる複数の排ガス流通穴が形成された複数のハニカム構造体を有する微粒子吸着層と、を備える石炭火力発電設備に関する。
【００１０】
また、前記脱硝触媒層に含まれるハニカム構造体は、多孔質材料からなり、前記微粒子吸着層に含まれるハニカム構造体は、前記多孔質材料と同一の多孔質材料からなることが好ましい。
【００１１】
また、前記多孔質材料は、セラミック材料であることが好ましい。
【００１２】
また、前記微粒子吸着層は、前記脱硝触媒層よりも排ガス流路方向の長さが短いことが好ましい。
【００１３】
また、前記微粒子吸着層は、前記脱硝触媒層に導入される排ガスを整流する整流層であることが好ましい。
【発明の効果】
【００１４】
本発明によれば、微小な粒径の堆積物が脱硝触媒の表面を被覆することを防ぐことで脱硝触媒の劣化を抑制できる石炭火力発電設備を提供できる。
【図面の簡単な説明】
【００１５】
【図１】本発明の一実施形態に係る石炭火力発電設備の構成を示す図である。
【図２】図１に示す燃焼ボイラの付近を拡大して示す図である。
【図３】図１に示す脱硝装置の付近を拡大して示す図である。
【図４】脱硝装置を構成する脱硝触媒層及び微粒子吸着層の構造を模式的に示す図である。
【発明を実施するための形態】
【００１６】
以下、本発明の石炭火力発電設備の好ましい一実施形態について、図面を参照しながら説明する。
本実施形態の石炭火力発電設備１は、図１に示すように、石炭バンカ２０と、給炭機２５と、微粉炭機３０と、燃焼ボイラ４０と、燃焼ボイラ４０の下流側に設けられた排気通路５０と、この排気通路５０に設けられた脱硝装置６０、空気予熱器７０、電気集塵装置９０、ガスヒータ（熱回収用）８０、誘引通風機２１０、脱硫装置２２０、ガスヒータ（再加熱用）２３０、脱硫通風機２４０、及び煙突２５０と、を備える。
【００１７】
石炭バンカ２０は、石炭サイロ（図示しない）から運炭設備によって供給された石炭を貯蔵する。給炭機２５は、石炭バンカ２０から供給された石炭を所定の供給スピードで微粉炭機３０に供給する。
微粉炭機３０は、給炭機２５から供給された石炭を粉砕して微粉炭を製造する。微粉炭機３０においては、石炭は、平均粒径６０μｍ〜８０μmに粉砕される。また、微粉炭の粒度分布は、１５０μｍ以上が１０〜１５％、７５μｍ〜１５０μｍが３０〜４０％、７５μｍ未満が４５〜６０％程度となる。
微粉炭機３０としては、ローラミル、チューブミル、ボールミル、ビータミル、インペラーミル等が用いられる。
【００１８】
燃焼ボイラ４０は、微粉炭機３０から供給された微粉炭を、強制的に供給された空気と共に燃焼する。微粉炭を燃焼することによりクリンカアッシュ及びフライアッシュ等の石炭灰が生成されると共に、排ガスが発生する。
尚、クリンカアッシュとは、微粉炭を燃焼させた場合に発生する石炭灰のうち、燃焼ボイラ４０の底部に落下した塊状の石炭灰をいう。また、フライアッシュとは、微粉炭を燃焼させた場合に発生する石炭灰のうち、燃焼ガス（排ガス）と共に吹き上げられて排気通路５０側に流通する程度の粒径（粒径２００μｍ程度以下）の球状の石炭灰をいう。
【００１９】
図２を参照して、燃焼ボイラ４０について詳しく説明すると、図２において、燃焼ボイラ４０は全体として略逆Ｕ字状をなしており、図中矢印に沿って排ガス（燃焼ガス）が逆Ｕ字状に移動した後、２次節炭器４１ｅを通過後に、再度小さくＵ字状に反転する。
【００２０】
燃焼ボイラ４０の下方には、燃焼ボイラ４０の内部のバーナーゾーン４１ａ’付近で微粉炭を燃焼するためのバーナ４１ａが配置されている。また、燃焼ボイラ４０の内部のＵ字頂部付近には、第一の過熱器４１ｂが配置されており、更にそこから第二の過熱器４１ｃが続いて配置されている。更に、第二の過熱器４１ｃの終端付近からは、１次節炭器４１ｄ、２次節炭器４１ｅが２段階に設けられている。ここで、節炭器（ＥＣＯとも呼ばれる）は、排ガスの保有する熱を利用してボイラ給水を予熱するために設けられた伝熱面群である。
【００２１】
以上の燃焼ボイラ４０によれば、バーナーゾーン４１ａ’において微粉炭が燃焼される。微粉炭の燃焼温度は、１３００℃から１５００℃に及び、燃焼によって生成される石炭灰は、矢印の方向に沿って上昇して排ガスと共に第一の過熱器４１ｂ、第二の過熱器４１ｃ、１次節炭器４１ｄ、及び２次節炭器４１ｅを順次通過する。燃焼ガスは、ボイラ給水を予熱するために設けられた伝熱面群を通過することによって熱交換され、４５０℃〜５００℃程度に温度が低下する。排ガスがバーナーゾーン４１ａ’から節炭器付近まで到達するまでに要する時間は、おおむね５秒から１０秒である。
【００２２】
排気通路５０は、燃焼ボイラ４０の下流側に配置され、燃焼ボイラ４０で発生した排ガス及び生成された石炭灰を流通させる。この排気通路５０には、上述のように、脱硝装置６０、空気予熱器７０、ガスヒータ（熱回収用）８０、電気集塵装置９０、誘引通風機２１０、脱硫装置２２０と、ガスヒータ（再加熱用）２３０、脱硫通風機２４０、及び煙突２５０が配置される。
【００２３】
脱硝装置６０は、排ガス中の窒素酸化物を除去する。本実施形態では、脱硝装置６０は、比較的高温（３００℃〜４００℃）の排ガス中に還元剤としてアンモニアガスを注入し、脱硝触媒との作用により排ガス中の窒素酸化物を無害な窒素と水蒸気に分解する、いわゆる乾式アンモニア接触還元法により排ガス中の窒素酸化物を除去する。
【００２４】
脱硝装置６０は、図３に示すように、脱硝反応器６１と、この脱硝反応器６１の内部に配置される複数段の脱硝触媒層６２，６２，６２と、脱硝触媒層６２の上流側に配置される微粒子吸着層６３と、脱硝反応器６１の入口付近に配置される整流板６４と、脱硝反応器６１の上流側に配置されるアンモニア注入部６５と、を備える。
【００２５】
脱硝反応器６１は、脱硝装置６０における脱硝反応の場となる。
脱硝触媒層６２は、脱硝反応器６１の内部に、排ガスの流路に沿って所定間隔をあけて複数段（本実施形態では３段）配置される。
【００２６】
脱硝触媒層６２は、図４に示すように、脱硝触媒としての複数のハニカム触媒６２２を含んで構成される。より詳細には、脱硝触媒層６２は、複数のケーシング６２１と、これら複数のケーシング６２１に収容される複数のハニカム触媒６２２と、シール部材６２３と、を備える。
【００２７】
ケーシング６２１は、一端及び他端が開放された角筒状の金属部材により構成される。ケーシング６２１は、開放された一端及び他端が脱硝反応器６１における排ガスの流路に向かい合うように、つまり、ケーシング６２１の内部を排ガスが流通するように配置される。また、複数のケーシング６２１は、脱硝反応器６１における排ガスの流路を塞ぐように当接した状態で連結されて配置される。
【００２８】
ハニカム触媒６２２は、長手方向に延びる複数の排ガス流通穴６２４が形成された長尺状（直方体状）に形成される。複数のハニカム触媒６２２は、排ガス流通穴６２４の延びる方向が排ガスの流路に沿うように配置される。本実施形態では、複数のハニカム触媒６２２は、ケーシング６２１に収容された状態で脱硝反応器６１の内部に配置される。
【００２９】
本実施形態では、ハニカム触媒６２２は、多孔質材料により構成されるハニカム構造体と、このハニカム構造体に担持される触媒物質と、を備える。
ハニカム構造体は、酸化チタンや酸化ジルコニウム等の耐熱性、耐食性を有するセラミック材料を押出成形した後、所定の温度で加熱することにより形成される。
【００３０】
触媒物質は、ハニカム構造体に担持された状態で、排ガス中に含まれる窒素酸化物の還元反応を促進させる。触媒物質としては、バナジウムやタングステン等を用いることができる。
本実施形態では、ハニカム触媒６２２は、触媒物質をセラミック材料に練り合わせた後、押出成形し、更に加熱することにより形成される。
【００３１】
シール部材６２３は、短手方向に隣り合って配置されるハニカム触媒６２２の間に配置され、隣り合って配置されるハニカム触媒６２２の間の隙間に排ガスが流入することを防ぐ。ハニカム触媒６２２の長手方向の一端側及び他端側の所定の長さの部分（例えば、端部から１５０ｍｍ）に巻きつけられている。シール部材６２３としては、アルミナやシリカを主成分とした無機繊維及びバインダを混合して構成したセラミックペーパを用いることができる。
【００３２】
以上の脱硝触媒層６２において、ハニカム触媒６２２としては、例えば、１５０ｍｍ×１５０ｍｍ×８６０ｍｍの直方体形状で目開き６ｍｍ×６ｍｍの排ガス流通穴が４００個（２０×２０）形成されたものが用いられる。また、ケーシング６２１としては、このハニカム触媒６２２を７２本（縦６本×横１２本）収容可能なものが用いられる。そして、一層の脱硝触媒層６２には、このケーシング６２１が１２０〜１５０個用いられる。即ち、一層の脱硝触媒層６２には、９０００本から１００００本のハニカム触媒６２２が設置される。
【００３３】
微粒子吸着層６３は、脱硝触媒層６２の上流側に配置される。微粒子吸着層６３は、ハニカム構造体６３２を含んで構成される。より詳細には、微粒子吸着層６３は、複数のケーシング６３１と、これら複数のケーシング６３１に収容される複数のハニカム構造体６３２と、シール部材６３３と、を備える。
【００３４】
ケーシング６３１は、ケーシング６２１同様、一端及び他端が開放された角筒状の金属部材により構成される。ケーシング６３１は、開放された一端及び他端が脱硝反応器６１における排ガスの流路に向かい合うように、つまり、ケーシング６３１の内部を排ガスが流通するように配置される。また、複数のケーシング６３１は、脱硝反応器６１における排ガスの流路を塞ぐように当接した状態で連結されて配置される。
【００３５】
本実施形態では、ケーシング６３１の排ガス流路方向の長さＬ２は、ケーシング６２１の排ガス流路方向の長さＬ１よりも短い。従って微粒子吸着層６３の排ガス流路方向の長さは脱硝触媒層６２の排ガス流路方向の長さよりも短い。かかる構成によりハニカム構造体６３２の製造コストを抑えつつ、かつ十分な微粒子吸着効果が得られる。
【００３６】
ハニカム構造体６３２は、ハニカム触媒６２２同様、長手方向に延びる複数の排ガス流通穴６３４が形成された長尺状（直方体状）に形成される。複数のハニカム構造体６３２は、排ガス流通穴６３４の延びる方向が排ガスの流路に沿うように配置される。本実施形態では、複数のハニカム構造体６３２は、ケーシング６３１に収容された状態で脱硝反応器６１の内部に配置される。
本実施形態では、ハニカム構造体６３２はハニカム触媒６２２に用いられるものと同一の多孔質材料を押出成形することで形成される。多孔質材料としては、酸化チタンや酸化ジルコニウム等の耐熱性、耐食性を有するセラミック材料が用いられる。
なお、ハニカム構造体６３２に用いられる多孔質材料は、帯電性を有するものであってもよい。ハニカム構造体６３２が帯電性を有することで、より好ましい微粒子吸着効果が得られる。即ち、脱硝触媒層６２を構成する多孔質材料と、微粒子吸着層６３を構成する多孔質材料とは、異なっていてもよい。
【００３７】
本実施形態では、ハニカム構造体６３２はハニカム触媒６２２とは異なり、触媒物質が担持されずに構成される。かかる構成によりハニカム構造体６３２の製造コストを抑えつつ、かつ十分な微粒子吸着効果が得られる。
【００３８】
本実施形態では、微粒子吸着層６３は脱硝反応器６１における排ガスの流路を区画する。微粒子吸着層６３は、排気通路５０を流通し脱硝反応器６１に導入される排ガスを整流して脱硝触媒層６２に均等に導く。
【００３９】
整流板６４は、脱硝反応器６１の入口の近傍における微粒子吸着層６３よりも上流側に配置される。より具体的には、整流板６４は、脱硝反応器６１又は排気通路５０の内壁における屈曲部分に配置され、内壁から内面側に突出する。整流板６４は、排気通路５０又は脱硝反応器６１における屈曲部分における排ガスの流れを整える。
【００４０】
アンモニア注入部６５は、脱硝反応器６１の上流側に配置され、排気通路５０にアンモニアを注入する。
【００４１】
以上の脱硝装置６０によれば、まず、アンモニア注入部６５において、排気通路５０を流通する高温の排ガス（３００℃〜４００℃）にアンモニアが注入される。アンモニアが注入された排ガスは、整流板６４により整流された状態で、微粒子吸着層６３を通過して、脱硝触媒層６２に導入される。
【００４２】
脱硝触媒層６２においては、アンモニアを含む排ガスがハニカム触媒６２２の排ガス流通穴６２４を通過するときに、以下の化学反応式に従って、窒素酸化物とアンモニアとが反応し、無害な窒素と水蒸気に分解される。
４ＮＯ＋４ＮＨ３＋Ｏ２→４Ｎ２＋６Ｈ２Ｏ
ＮＯ＋ＮＯ２＋２ＮＨ３→２Ｎ２＋３Ｈ２Ｏ
【００４３】
ところで、脱硝触媒は、使用により劣化し脱硝率が低下する。脱硝触媒の劣化の原因としては、シンタリング等の熱的劣化、触媒成分の被毒による化学的劣化、及び石炭灰が触媒表面を被覆することによる物理的劣化等が挙げられる。本発明者らは、今般、石炭灰の平均的な粒径である数十μｍ以上百μｍ以下程度の範囲に比べて遥かに小さい粒径（１μｍ以下、より詳細には数十ｎｍ程度）の石炭灰に起因する堆積物が脱硝触媒の表面を被覆して被覆層を形成し、それによって、脱硝触媒の閉塞が生じていることを見出した。このような微小な粒径の石炭灰は含有量が少ないため、これまで脱硝触媒の劣化の原因とは考えられていなかった。
【００４４】
上記被覆層の形成による脱硝触媒の劣化の進行は各触媒層において一様ではなく、最も劣化の進行が速いのは排ガスが最初に通過する第１層目の触媒層である。第１層目の触媒層は、排ガスが触媒層に流入する際の偏流の影響を受けやすく、その影響により上記微小な粒径の石炭灰が堆積しやすいため、劣化の進行が速いと考えられる。
ここで、本実施形態においては、脱硝触媒層６２の上流側に微粒子吸着層６３が配置される。また、微粒子吸着層６３に含まれるハニカム構造体６３２は、脱硝触媒層６２に含まれるハニカム触媒６２２に用いられるものと同一の多孔質材料により形成される。更にハニカム構造体６３２は、ハニカム触媒６２２の排ガス流通穴６２４と同一形状の排ガス流通穴６３４を有する。従って、第１層目の脱硝触媒層６２のハニカム触媒６２２上に本来形成される被覆層が微粒子吸着層６３のハニカム構造体６３２上に代わりに形成されることで、ハニカム触媒６２２の劣化を抑制できる。また、排ガスが脱硝触媒層６２に達する時点では、排ガスはハニカム触媒６２２と同様の構造を有するハニカム構造体６３２により整流されているため、偏流によるハニカム触媒６２２の劣化を抑制できる。またハニカム構造体６３２には触媒が担持されていないため、ハニカム構造体６３２の製造にかかるコストを抑える事ができる。
【００４５】
更に、上記被覆層は、脱硝触媒の入り口側により厚く形成され、脱硝触媒の出口側に向かうにつれその厚さは薄くなることが明らかとなっている。脱硝触媒の入り口側は、排ガスが触媒層に流入する際の偏流の影響を受けやすく、その影響により上記微小な粒径の石炭灰が堆積しやすいことが原因と考えられる。
ここで、本実施形態においてはケーシング６３１の排ガス流路方向の長さＬ２は、ケーシング６２１の排ガス流路方向の長さＬ１よりも短いため、ハニカム構造体６３２の製造にかかるコストを抑える事ができる。また、上記被覆層は、脱硝触媒の入り口側により厚く形成されるので、上記ケーシング６３１の排ガス流路方向の長さＬ２がケーシング６２１の排ガス流路方向の長さＬ１よりも短くとも、十分なハニカム触媒６２２の劣化を抑制する効果が得られる。
【００４６】
空気予熱器７０は、排気通路５０における脱硝装置６０の下流側に配置される。空気予熱器７０は、脱硝装置６０を通過した排ガスと押込式通風機７５から送り込まれる燃焼用空気とを熱交換させ、排ガスを冷却すると共に、燃焼用空気を加熱する。
【００４７】
ガスヒータ８０は、排気通路５０における空気予熱器７０の下流側に配置される。ガスヒータ８０には、空気予熱器７０において熱回収された排ガスが供給される。ガスヒータ８０は、排ガスから更に熱回収する。
【００４８】
電気集塵装置９０は、排気通路５０におけるガスヒータ８０の下流側に配置される。電気集塵装置９０には、ガスヒータ８０において熱回収された排ガスが供給される。電気集塵装置９０は、電極に電圧を印加することによって排ガス中の石炭灰（フライアッシュ）を収集する装置である。電気集塵装置９０において捕集されるフライアッシュは、フライアッシュ回収装置１２０に回収される。
【００４９】
誘引通風機２１０は、排気通路５０における電気集塵装置９０の下流側に配置される。誘引通風機２１０は、電気集塵装置９０においてフライアッシュが除去された排ガスを、一次側から取り込んで二次側に送り出す。
【００５０】
脱硫装置２２０は、排気通路５０における誘引通風機２１０の下流側に配置される。脱硫装置２２０には、誘引通風機２１０から送り出された排ガスが供給される。脱硫装置２２０は、排ガスに石灰石と水との混合液を吹き付けることにより、排ガスに含有されている硫黄酸化物を混合液に吸収させて脱硫石膏スラリーを生成させ、この脱硫石膏スラリーを脱水処理することで脱硫石膏を生成する。脱硫装置２２０において生成された脱硫石膏は、この装置に接続された脱硫石膏回収装置２２２に回収される。
【００５１】
ガスヒータ２３０は、排気通路５０における脱硫装置２２０の下流側に配置される。ガスヒータ２３０には、脱硫装置２２０において硫黄酸化物が除去された排ガスが供給される。ガスヒータ２３０は、排ガスを加熱する。ガスヒータ８０及びガスヒータ２３０は、排気通路５０における、空気予熱器７０と電気集塵装置９０との間を流通する排ガスと、脱硫装置２２０と脱硫通風機２４０との間を流通する排ガスと、の間で熱交換を行うガスガスヒータとして構成してもよい。
【００５２】
脱硫通風機２４０は、排気通路５０におけるガスヒータ２３０の下流側に配置される。脱硫通風機２４０は、ガスヒータ２３０において加熱された排ガスを一次側から取り込んで二次側に送り出す。
煙突２５０は、排気通路５０における脱硫通風機２４０の下流側に配置される。煙突２５０には、ガスヒータ２３０で加熱された排ガスが導入される。煙突２５０は、排ガスを排出する。
【００５３】
以上説明した本実施形態の石炭火力発電設備１によれば、以下のような効果を奏する。
【００５４】
（１）石炭火力発電設備１における脱硝装置６０を、長手方向に延びる複数の排ガス流通穴が形成されたハニカム構造体、及び前記ハニカム構造体に担持された脱硝触媒を含む複数のハニカム触媒６２２を有する脱硝触媒層６２の上流側に配置され、長手方向に延びる複数の排ガス流通穴が形成された複数のハニカム構造体６３２を有する微粒子吸着層６３を含んで構成した。これにより、石炭灰を含む排ガスがハニカム触媒６２２を通過する前にハニカム構造体６３２を通過し微小な石炭灰に起因する被覆層を形成することで、下流側に配置されたハニカム触媒６２２の劣化を抑制できる。またハニカム構造体６３２には触媒物質が担持されていないため、ハニカム構造体６３２の製造にかかるコストを抑えつつ、かつハニカム触媒６２２の劣化を抑制する十分な効果が得られる。
【００５５】
（２）ハニカム触媒６２２において触媒物質が担持されるハニカム構造体を多孔質材料により構成し、ハニカム構造体６３２を同一の多孔質材料により構成した。これにより、ハニカム触媒６２２上に本来堆積する被覆層が確実にハニカム構造体６３２上に堆積するため、ハニカム触媒６２２の劣化を抑制できる。
【００５６】
（３）ハニカム触媒６２２において触媒物質が担持されるハニカム構造体をセラミック材料により構成し、ハニカム構造体６３２を同一のセラミック材料により構成した。これにより、ハニカム構造体６３２はハニカム触媒６２２同様、良好な耐熱性、耐食性を有し長期間にわたって使用できる。
【００５７】
（４）微粒子吸着層６３の排ガス流路方向の長さを、脱硝触媒層６２の排ガス流路方向の長さよりも短く構成した。これにより、ハニカム構造体６３２の製造にかかるコストを抑えつつ、かつハニカム触媒６２２の劣化を抑制する十分な効果が得られる。
【００５８】
（５）微粒子吸着層６３を、前記脱硝触媒層に導入される排ガスを整流する整流層として構成した。これにより、微粒子吸着層６３は脱硝触媒層６２に流入する排ガスを整流し、ハニカム触媒６２２の劣化を抑制できる。
【００５９】
以上、本発明の石炭火力発電設備１の好ましい各実施形態につき説明したが、本発明は、上述の実施形態に制限されるものではなく、適宜変更が可能である。
【符号の説明】
【００６０】
１  石炭火力発電設備
３０  微粉炭機
４０  燃焼ボイラ
６０  脱硝装置
６２  脱硝触媒層
６３  微粒子吸着層
６２２  ハニカム触媒
６２４  排ガス流通穴
６３２  ハニカム構造体
６３４  排ガス流通穴
【図１】
0006586812.tif 000002
【図２】
0006586812.tif 000003
【図３】
0006586812.tif 000004
【図４】
0006586812.tif 000005